(57)【要約】【課題】  上水として蛇口まで供給された水のより高度な処理を行った給水スタンドの給水価格を効果的に下げること。【解決手段】  上水として蛇口まで供給された水をより調理用等に質を高めるための水処理装置を給水スタンドに内蔵すると共にその給水スタンドの上部に広告宣伝が出来る手段を設け本給水スタンドの費用を広告宣伝者に負担させることが出来る装置としたこと。【選択図】    図１
2005071313.tif 000002
【特許請求の範囲】
【請求項１】
自治体が飲料用として蛇口までに送った上水を更に処理して飲料用、調理用等の用途に機能を高めた水をお金もしくはカードで購入出来るスタンド式給水器において前記給水器の上部に広告宣伝等表示が出来る画面（ディスプレー）と前記ディスプレーに映像を送るビデオデッキ、ＤＶＤ（Ｄｉｇｉｔａｌ  Ｖｉｄｅｏ  Ｄｉｓｋの略）宇宙衛星受信装置、電話受信装置等のうち少なくとも１つ以上の装置とを設けていることを特徴とする広告宣伝機能付給水スタンド。
【請求項２】
前記水処理用の装置は電磁波放射セラミックス接触装置、電場荷電装置、磁気処理装置、アルカリイオン水製造装置、膜分離装置、活性炭吸着装置等単独もしくはそれらとの組合せから成ることを特徴とする特許請求項１の広告宣伝機能付給水スタンド。
【請求項３】
前記給水スタンドの給水室の扉を開けると同時に給水室に滞留していた空気を室外に押し出すために除麈用フィルターを通した空気を給水室にフラッシュすることが出来るようにしたことを特徴とする特許請求項１の広告宣伝機能付給水スタンド。
【請求項４】
前記給水室に設けられた給水口付近の管内部に紫外線ランプが設けられていることを特徴とする特許請求項１の広告宣伝機能付給水スタンド。
【発明の詳細な説明】
【技術分野】
【０００１】  本発明は自治体等により上水として蛇口に供給された水を更に浄水処理して、より高度の水を要望する水使用者に公共の場での提供を広告宣伝媒体と結びつけて行うことが出来る給水装置に関する。
【背景技術】
【０００２】  人が買い物等で集まるスーパー等の公衆の場に置かれ、蛇口に給水された上水を蛇口直結型で更に質を高めるための水処理装置を備え、お金もしくはカードでこの上質の水の提供を受ける給水スタンドは既に存在していたが本発明に示すように広告宣伝が出来るディスプレー及び映像送信システム付給水スタンド商品はなかった。
【発明の開示】
【発明が解決しようとする課題】
【０００３】  上水を更に処理して質を高めた水をお金又はカードで購入する従来式の給水スタンド方式では給水スタンドの装置代が割高のため水道料金も含めて前記給水スタンド設置者が負担するのでは一般に普及さすには限界があった。
【課題を解決するための手段】
【０００４】  上記課題を解決するために給水スタンドの処理水質の向上を低価格で図る等の努力を進めて来たが一般的に普及さすにはそれでもコスト的な壁が立ちはだかっていた。そのため視点を変えると装置の商品化上、比較的容易に技術的にもコスト的にも解決できる対策が出せることが分り、そして今回の発明としてまとめることが出来た。本発明が従来の課題を解決する特徴構成は自治体が飲料用として蛇口まで送った上水を更に処理して機能を高めた水をお金もしくはカードで購入出来る給水スタンドにおいてこの給水スタンドの上部に広告宣伝が出来るディスプレーとそして前記ディスプレーに映像を送るビデオデッキ、ＤＶＤ（Ｄｉｇｉｔａｌ  Ｖｉｄｅｏ  Ｄｉｓｋの略）宇宙衛星受信装置、電話受信装置等のうち少なくとも１つ以上の装置を設けるようにしたことにある。また、給水スタンドに内蔵する水処理装置は電磁波放射セラミックス接触装置、電場荷電装置、磁気処理装置、アルカリイオン水製造装置、膜分離装置、活性炭吸着装置等の１つ以上の組合せから成るようにした。そして本給水スタンドは人が給水室の扉を開けた時、フィルターを通過した清浄な空気が室内より扉の外へ向かってフラッシュされるようにし、更に給水口近くの給水管内に紫外線ランプを設けたことにある。
【発明効果】
【０００５】  上水を更に処理して、飲料用等の用途に機能を高めた水をお金もしくはカード等で購入出来るスタンド式給水器において前記給水器の上部に広告宣伝が表示出来る画面とそれらに付設して前記表示画面の内容を指定するビデオデッキ、ＤＶＤ、宇宙衛星受信装置、電話受信装置等とを接続して設けることによって給水スタンドの装置費用およびもしくは維持管理費用を前記広告宣伝が出来る画面を使って広告宣伝したい広告宣伝主（一般的な言葉で言うとスポンサー）が支払うようにすることが出来るようになった。そのため、機能を高めた水を本広告宣伝機能付給水スタンドより購入する人達はスポンサーが負担する費用相当分は除かれるため通常より安価に購入もしくは無料で人手することが出来るようになった。本広告宣伝機能付給水スタンドに内蔵の水処理装置は電磁波放射セラミックス接触処理、電場荷電装置（通常電子水と略称）、磁気処理装置、アルカリイオン水製造装置、膜分離装置、活性炭吸着装置等の１つ以上の組合せから成るようにしたことによって上水としての市水を、飲料水、調理用水等に更に機能を高めて誰にでも提供することが出来るようになった。また給水スタンドの給水室を開けると同時に給水室にフィルタで除麈した浄化空気がフラッシュされるようにすることによって前記給水室内に給水時のホコリ等での汚染を防ぐことが出来るようになった。更に給水室に設けられた給水口の管内部に紫外線ランプを設けることにより給水口部の微生物汚染のみならず給水装置内部への汚染の侵入を防ぐことが出来るようになった。
【発明を実施するための最良の形態】
【０００６】  本発明の１実施例を以下に述べる。
図１は本発明の広告宣伝機能付給水スタンド（１）（以下給水スタンドと略記する）のシステム図で図２は本発明の給水スタンドの外観図である。自治体供給の上水は蛇口（２）を通った後、水処理装置（４）および又は（５）で更に高度な処理を受ける。そして給水口（１５）の直前の殺菌部（７）で紫外線殺菌灯（８）により殺菌処理を受けた後、本発明の高度処理水をユーザーの容器（１４）に詰めて取り出されていく。他方浄化用空気はブロワ（９）より吸引されヘパフィルタ（１０）で除麈除菌等を受けた後、給水室へフラッシュされる。このフラッシュが行われるとこのフラッシュ以前に給水室に滞留していた空気は給水室外へ扉側より吐き出されるようになっている。そして給水部の上部には本給水器のスポンサーが自社等の広告宣伝ができる表示部（２８）が取り付けてある。上記のような装置構成に於いて高度処理水はユーザーに容器詰めされるのであるがユーザーが給水室で高度処理水を入手しようとするときには図２のコイン投入口（１８）に必要なコインかもしくはカード挿入口（１８′）にプリペイド又は会員カードを挿入した後、扉（２３）を開け容器（１４）（ペットボトル等）をセットすると前述のヘパフイルター（１０）を通った清浄な空気が給水室の裏側より扉（入り口）（２３）側に向かってフラッシュされる。フラッシュが終わった後、扉を閉めると受水用の容器（１４）（ペットボトル等）に給水が開始され、ほぼ前記容器（１４）に満杯の直前まで給水される。給水が終了すると扉（２３）を開け容器（１４）を取り出す。上記のような順序で高度処理水を必要な人は入手するのであるが、本給水スタンド上部にビデオデッキ（１７）及びディスプレー（１６）より成る表示部（２８）が設けられていて、ビデオデッキに必要な宣伝用等のビデオテープもしくはディスク等をビデオ挿入口（１９）よりセットすると前記ディスプレー（１６）に音声付（必要な場合）の宣伝画面表示が出来るため必要な宣伝が行えるのである。図３は説明板（２０）拡大図の一例である。コイン又はカード等を挿入すると給水に必要な給水操作の状況が説明板（２０）に表示されるため給水を受ける者はこの説明文（２１）に従って必要な動作を行えばよい。尚、図４は本発明の給水プログラム図の一例を示したものである。またディスプレーにはこのディスプレーに表示する内容に音声を内蔵したものであっても当然良いのである。
【図面の簡単な説明】
【０００７】
【図１】  本発明の広告宣伝機能付給水スタンドのシステム図
【図２】  本発明の広告宣伝機能付給水スタンドの外観図
【図３】  説明板拡大図
【図４】  本発明の給水プログラム図
【符号の説明】
【０００８】      １．  広告宣伝機能付給水スタンド
２．  蛇口
３．  入口バルブ
４．  水処理装置（１）
５．  水処理装置（２）
６．  バルブ
７．  殺菌部
８．  紫外線殺菌灯
９．  ブロワ
１０．  ヘパフィルタ
１１．  空気導管
１２．  給水室
１３．  排気口
１４．  容器
１５．  給水口
１６．  ディスプレ
１７．  ビデオデッキ
１８．  コイン投入口
１８′  カード挿入口
１９．  ビデオ挿入口（取出し口）
２０．  説明板
２１．  説明文
２２．  容器位置枠
２３．  扉
２４．  ヒンジ
２５．  ボタン
２６．  キャスタ
２７．  順序表示ランプ
２８．  表示部
【図１】
2005071313.tif 000003
【図２】
2005071313.tif 000004
【図３】
2005071313.tif 000005
【図４】
2005071313.tif 000006